(57)【要約】      （修正有）【課題】目立ちやすく、高い販売促進効果を有する本の拡販ツールを実現する。【解決手段】拡販ツール１は、書店において平積みされた本の上に載置して使用され、平面視したときに本と同じかこれより小さな縦寸法及び横寸法を有する。客に視認される拡販ツールの外表面に本に関する情報５ａ〜５ｄが表示され、発光部６又は光反射部が客に視認されるように設けられている。回動可能に連結された基部２及び直立部３を備え、基部を本の上に載置し且つ直立部を直立させることができ、直立部を直立させると、発光部の電源がオンに切り替わり、直立部を基部に重なるように回動させると、発光部の電源がオフに切り替わるのが好ましい。また、カード１０を収納することができる収納部９、スピーカ７を備えていてもよい。【選択図】図１
0003194325.tif 000002
【実用新案登録請求の範囲】
【請求項１】
書店において平積みされた本の上に載置して使用される本の拡販ツールであって、
平面視したときに前記本と同じかこれより小さな縦寸法及び横寸法を有し、
客に視認される前記拡販ツールの外表面に、前記本に関する情報が表示され、
発光部又は光反射部が客に視認されるように設けられていることを特徴とする本の拡販ツール。
【請求項２】
回動可能に連結された基部及び直立部を備え、前記基部を本の上に載置し且つ前記直立部を直立させることができる請求項１に記載の本の拡販ツール。
【請求項３】
前記発光部を備え、
前記基部に対して前記直立部を直立させると、前記発光部の電源がオンに切り替わり、
前記直立部を前記基部に重なるように回動させると、前記発光部の電源がオフに切り替わる請求項２に記載の本の拡販ツール。
【請求項４】
カードを収納することができる収納部を備える請求項１〜３のいずれかに記載の本の拡販ツール。
【請求項５】
スピーカを備える請求項１〜４のいずれかに記載の本の拡販ツール。
【請求項６】
本の上に載置したときに上方を向く面は、本の表紙と同じ外観を呈する請求項１〜５のいずれかに記載の本の拡販ツール。
【考案の詳細な説明】
【技術分野】
【０００１】
本考案は、書店等において好ましく使用することができる本（書籍）の拡販ツールに関する。
【背景技術】
【０００２】
書店において、商品である本の陳列方法として、本を、表紙を上にして積み上げて陳列する、いわゆる「平積み」という方法がある。平積みされた本は、その表紙の全部が客に見えるので、目立ちやすく、客に選ばれる可能性が高くなり、本の拡販方法として有効である。
【０００３】
更に、本の拡販方法として、ＰＯＰ（Point of Purchase）広告が広く用いられている。ＰＯＰ広告は、カード状の紙に、本のタイトル、著作者名、簡単な説明などを手書きしたものである。ＰＯＰ広告は、例えば、客に見えるように、簡易なスタンドを用いて、平積みした本の上に載せられる。
【０００４】
ＰＯＰ広告は、書店が推奨する本の情報を、店員に代わって客に提供し、購買意欲を促進させるのに有効である。一方で、ＰＯＰ広告は、書店の個性的な雰囲気作りにも貢献する。従って、ＰＯＰ広告は、一般に、各書店自身で作成されることが多い。
【０００５】
このため、ＰＯＰ広告は一般に低コストで作成され、また、他の本のＰＯＰ広告と共通の様式で作成されることが多いので、目立ちやすさの点で限界がある。
【０００６】
特許文献１には、服の外観を呈する表紙及び裏表紙を備えた文房具（例えば、アルバム、ノートブック、手帳）が記載されている。外観の斬新さや興趣性の高さにより販売促進を図ることができるとされている。
【先行技術文献】
【特許文献】
【０００７】
【特許文献１】登録実用新案第３１２７０６５号公報
【考案の概要】
【考案が解決しようとする課題】
【０００８】
特許文献１の文房具は、商品である文房具自身の外観を変更したものである。従って、外観の特殊性が、その文房具の使い勝手を低下させ、却って購買意欲を低下させてしまう可能性がある。
【０００９】
本考案は、目立ちやすく、高い販売促進効果を有する本の拡販ツールを実現することを目的とする。
【課題を解決するための手段】
【００１０】
本考案の本の拡販ツールは、書店において平積みされた本の上に載置して使用される。前記拡販ツールは、平面視したときに前記本と同じかこれより小さな縦寸法及び横寸法を有する。客に視認される前記拡販ツールの外表面に、前記本に関する情報が表示される。発光部又は光反射部が客に視認されるように設けられている。
【考案の効果】
【００１１】
本考案の拡販ツールは、本と同じかこれより小さな縦寸法及び横寸法を有するので、拡販ツールを本と一緒に梱包して搬送するのが容易であり、また、平積みした本の上に拡販ツールを載置したときに拡販ツールが本からはみ出すことがない。
【００１２】
拡販ツールに発光部又は光反射部が設けられているので、拡販ツールは書店において非常に目立ち、客の視線を集める。そして、客は、拡販ツールの外表面に表示された本に関する情報により、本を素早く理解することができる。従って、本考案の拡販ツールは、書店において、極めて高い本の販売促進効果を有する。
【図面の簡単な説明】
【００１３】
【図１】図１は、本考案の一実施形態に係る本の拡販ツールの使用時の状態（開状態）を示した斜視図である。
【図２】図２は、本考案の一実施形態に係る本の拡販ツールの非使用時の状態（閉状態）を示した斜視図である。
【図３】図３Ａは、書店にて平積みされた本を示した斜視図である。図３Ｂは、本考案の一実施形態に係る本の拡販ツールの書店での使用例を示した斜視図である。
【図４】図４は、本考案の別の実施形態に係る本の拡販ツールの斜視図である。
【考案を実施するための形態】
【００１４】
上記の本考案の拡販ツールが、回動可能に連結された基部及び直立部を備えていてもよい。この場合、前記基部を本の上に載置し且つ前記直立部を直立させることができることが好ましい。これにより、本に関する情報を表示するためのより広い領域を確保することができる。
【００１５】
上記の本考案の拡販ツールが、前記発光部を備えることが好ましい。この場合、前記基部に対して前記直立部を直立させると、前記発光部の電源がオンに切り替わり、前記直立部を前記基部に重なるように回動させると、前記発光部の電源がオフに切り替わることが好ましい。拡販ツールが発光部を備えることにより、客の注目度が格段に向上する。発光部の電源のオン／オフの切り替えを、直立部の回動動作と連動させることにより、例えば電源をオフにし忘れるなどの誤操作の可能性が低減し、使い勝手が向上する。
【００１６】
上記の本考案の拡販ツールが、カードを収納することができる収納部を備えることが好ましい。これにより、客が自由に持ち帰ることができるカードを、拡販ツール自身に収納しておくことができる。このようなカードを通じて、本の更なる販売促進を図ることができる。
【００１７】
上記の本考案の拡販ツールが、スピーカを備えていてもよい。これにより、聴覚を通じて、本の注目度を更に高めることができる。
【００１８】
上記の本考案の拡販ツールを本の上に載置したときに上方を向く面は、本の表紙と同じ外観を呈することが好ましい。これにより、客は、本を容易に見つけることができる。
【００１９】
以下に、本考案を好適な実施形態を示しながら詳細に説明する。但し、本考案は以下の実施形態に限定されないことはいうまでもない。以下の説明において参照する各図は、説明の便宜上、本考案の実施形態を構成する部材のうち、本考案を説明するために必要な主要部材のみを簡略化して示したものである。従って、本考案は以下の各図に示されていない任意の部材を備え得る。また、以下の各図では、実際の部材の寸法および各部材の寸法比率等は忠実に表されていない。
【００２０】
図１は、本考案の一実施形態に係る本の拡販ツール（以下、単に「拡販ツールという」）１の使用時の状態を示した斜視図である。拡販ツール１は、基部２と直立部３とを備え、両者はヒンジ部４を介して連結されている。基部２及び直立部３はいずれも、主面（面積が最大である面）が略長方形である板形状（または略直方体形状）を有している。図２は、拡販ツール１の非使用時の状態を示した斜視図である。図１及び図２を比較すれば容易に理解できるように、直立部３は基部２に対してヒンジ部４を回動軸として回動可能である。図１に示す使用時の状態を「開状態」、図２に示す非使用時の状態を「閉状態」という。
【００２１】
以下の説明の便宜のため、閉状態にしたときに直立部３と重なり合う基部２の面を上面２ａ、上面２ａの長辺を介して上面２ａに隣接する２面を側面２ｂ，２ｂ、上面２ａの短辺を介して上面２ａに隣接する２面のうち、ヒンジ部４から遠い方の面を前面２ｃと呼ぶ。また、閉状態にしたときに基部２と重なり合う直立部３の面を正面３ａ、正面３ａの長辺を介して正面３ａに隣接する２面を側面３ｂ，３ｂ、正面３ａの短辺を介して正面３ａに隣接する２面のうち、ヒンジ部４から遠い方の面を上面３ｃ、正面３ａとは反対側の面を裏面３ｄと呼ぶ。拡販ツール１の外表面を構成する筐体は、実質的に変形しない硬質材料を用いて構成しうる。好ましい材料としては、例えば、樹脂、金属、紙である。
【００２２】
図３Ａは、書店にて平積みされた本２０を示した斜視図である。本２０は、その表紙２０ａを上に向けて積み重ねられている。図３Ｂは、拡販ツール１の書店での使用例を示した斜視図である。図３Ｂに示すように、拡販ツール１は、平積みされた本２０の上に載置して使用される。基部２はその上面２ａを上方に向けて本２０の表紙２０ａ上に載置され、直立部３は略垂直方向に直立される。拡販ツール１は、直立部３の正面３ａが客側を向くように配置される。
【００２３】
図２に示す閉状態の拡販ツール１を平面視したとき（即ち、図２において裏面３ｄ側から見たとき）の拡販ツール１の外寸法（即ち、縦寸法Ｄ及び横寸法Ｗ）は、本２０を平面視したとき（即ち、表紙２０ａ側から見たとき）の本２０の縦寸法及び横寸法と同じかこれより小さい。本考案の拡販ツール１は、一般に、本２０の著作者又は出版社が製作し、本２０とともに書店に供給される。従って、拡販ツール１の縦寸法及び横寸法が、本２０の縦寸法及び横寸法と同じかまたはこれらより小さいことは、閉状態の拡販ツール１を本２０に重ねてこれらを一緒に梱包して搬送するのに便利である。また、図３Ｂのように、平積みされた本２０の上に拡販ツール１を載置したとき、基部２が本２０よりも水平方向の外側に実質的にはみ出さないので、拡販ツール１がその周囲に配置された、他の平積みされた本と衝突するという問題が生じない。但し、拡販ツール１の縦寸法及び横寸法が、本２０の縦寸法及び横寸法に比べて小さすぎると、拡販ツール１の外表面が小さくなるので、本に関する情報を表示できる領域も小さくなる。従って、拡販ツール１の本２０に対する縦方向及び横方向の寸法差は、本２０の各方向の寸法に対していずれも１０％以下、更には５％以下、特に３％以下であることが好ましく、最も好ましくは、拡販ツール１は本２０と縦寸法及び横寸法が同じである。
【００２４】
図２に示す閉状態の拡販ツール１の厚さ（基部２と直立部３とが重なり合う方向の寸法）は、制限はないが、本２０の厚さの略整数倍であることが好ましい。これにより、閉状態の拡販ツール１を本２０と一緒に重ねて梱包するのが容易になる。
【００２５】
本考案において、拡販ツール１が対象とする本２０の種類は、制限はなく、例えば、単行本、文芸書、学術書、専門書、文庫本、新書本、辞典、雑誌、地図、写真集などあらゆる種類の本が含まれる。本２０の寸法（判型）も、制限はなく、例えば、Ｂ６判、四六判、Ａ５判、Ａ６判、新書判、Ｂ５判、ＡＢ判、Ａ４判などであってもよい。拡販ツール１の寸法は、本２０の寸法に応じて適宜変更されうる。
【００２６】
図２から分かるように、本実施形態では、基部２の延長部２ｅが、ヒンジ部４を越えて水平方向に延びており、この点で、基部２の縦寸法は直立部３の縦寸法よりわずかに大きい。延長部２ｅは、図１に示されているように、開状態において、直立部３の端面を延長部２ｅの上面２ａに当接させて、直立部３を略垂直に直立させるために設けられている。但し、直立部３を直立させるための構造は、本実施形態に限定されない。直立部３を直立させるための構造によっては延長部２ｅを省略することができる。その場合には、基部２と直立部３との縦寸法及び横寸法を同じにすることができる。本実施形態とは逆に、閉状態において直立部３が基部２よりヒンジ部４を越えてはみ出していてもよい。基部２及び直立部３の大小関係に関わらず、大きい方の縦寸法及び横寸法が、本２０の縦寸法及び横寸法と同じかこれらより小さく設定される。
【００２７】
開状態（図１参照）において、直立部３は、正確に鉛直方向に平行に直立する必要はない。むしろ、直立部３の正面３ａがわずかに上方を向くと、正面３ａの視認性が向上する。このため、開状態での直立部３の正面３ａが水平方向（即ち、基部２の上面２ａ）に対してなす角度は、制限はないが、８５度〜１１０度が好ましく、更には９０度〜１００度が好ましい。
【００２８】
拡販ツール１は、本２０の販売促進のために使用される。従って、使用状態（図３Ｂ参照）、即ち、開状態（図１参照）において、客に視認される拡販ツール１の外表面に、本２０に関する情報（以下、「関連情報」という）が表示される。関連情報が表示される面は、制限はないが、基部２の底面（上面２ａとは反対側の面）を除く拡販ツール１の外表面から任意に選択しうる。基部２の上面２ａ及び直立部３の正面３ａは、客に最も視認されやすく、また、面積が大きいので、関連情報を表示する面として好ましい。
【００２９】
関連情報は、本２０に関連する情報であればよく、その内容に制限はない。例えば、本２０のタイトル、本２０の著作者名、本２０の著作者の顔写真又は似顔絵、本２０の概要、本２０の著作者からのメッセージ、本２０の推薦文及び推薦者名、本２０に関連する図柄などを含む。
【００３０】
本実施形態では、基部２の上面２ａは、本２０の表紙２０ａとほぼ同じ外観を呈するように構成されている。即ち、上面２ａには、本２０のタイトル５ａ及び著作者名５ｂとともに、本２０の表紙２０ａに記載された図柄（図示せず）が表示されている。本２０のタイトルや著作者名を知っている客は、拡販ツール１の上面２ａを見ることで、本２０を簡単に見つけることができる。また、拡販ツール１の上面２ａが、拡販ツール１の下に平積みされた本２０の表紙２０ａと同じ外観を呈することにより、客は、拡販ツール１が本２０に関連するものであることを容易に理解できる。更に、基部２の両側面２ｂ，２ｂ及び前面２ｃを、本２０の背、前小口、地と略同じ外観を呈するように構成してもよい。
【００３１】
また、本実施形態では、直立部３の正面３ａには、本２０の著作者の顔写真（または似顔絵）５ｃと、本２０の概要５ｄが表示されている。客は、これらを見て本２０に関する情報を素早く理解することができる。
【００３２】
本実施形態では、関連情報は、拡販ツール１の外表面に印刷により表示されているが、関連情報の表示方法は、印刷に限定されない。例えば、小型のディスプレイ（例えば液晶ディスプレイ、有機ＥＬディスプレイ）を用いて関連情報を表示してもよい。これにより、より多くの関連情報を表示することができ、また、客の注目度を格段に向上させることができる。
【００３３】
拡販ツール１は、上述したように、ヒンジ部４を介して基部２と直立部３とが開閉する開閉構造を有している。使用時に開状態にすることにより、客に視認される拡販ツール１の外表面の面積が拡大するので、より多くの関連情報を表示することができる。
【００３４】
図１及び図２に示されているように、基部２の側面２ｂ，２ｂ及び前面２ｃ、及び、直立部３の正面３ａ、側面３ｂ，３ｂ、及び裏面３ｄに、発光部６が設けられている。発光部６は、例えばＬＥＤやＥＬ素子などの自発光式の光源を備える。面２ｂ，２ｃ，３ａ，３ｂ，３ｄのそれぞれに、複数の発光部６が配置されている。複数の発光部６の発光色は、同一であってもよいし、異なっていてもよい。発光部６の発光を制御する制御部及び電源（例えば、単三乾電池）は基部２内に収納されている（いずれも図示せず）。
【００３５】
発光部６の電源のオン／オフの切り替えは、拡販ツール１の開閉動作と連動させることができる。即ち、拡販ツール１が閉状態（図２参照）では発光部６の電源がオフになり、開状態（図１参照）では発光部６の電源がオンになる。あるいは、発光部６の電源のオン／オフを切り替えるためのスイッチが、例えば基部２の底面（上面２ａとは反対側の面）に設けられていてもよい。また、客が接近したことを検知するセンサ（例えば後述するセンサ８）を設け、当該センサが客を検知すると、発光部６の電源がオンに切り替わるように制御してもよい。
【００３６】
発光部６の電源がオンに切り替えられると、各発光部６が予め設定されたプログラムにしたがって点灯／消灯される。例えば、一直線上に配置された複数の発光部６が一方の端から他方の端に向かって順次点灯及び消灯されてもよい。あるいは、複数の発光部６の点灯／消灯が、各面ごとに切り替えられてもよい。
【００３７】
発光部６が設けられる面や、発光部６の位置、数、大きさ、色などは、本実施形態に限定されない。客の注目度が高まるように、適宜変更しうる。本実施形態では、点状の発光部６が離散的に設けられているが、本考案はこれに限定されない。例えば、拡販ツール１の外表面の全部または特定の面が、均一に又はグラデーションを有しながら、発光してもよい。
【００３８】
発光部６に代えて、または、発光部６に加えて、光反射部（図示せず）が拡販ツール１に設けられていてもよい。光反射部は、書店内の照明や屋外の光を反射して、客の視線を引き寄せる。光反射部は、制限はないが、例えばアルミニウム等の金属箔を貼付することにより、あるいは、金色や銀色系のメタリックインキまたは鮮やかに発色する蛍光インキを塗布することにより、作成することができる。光反射部が設けられる面や、光反射部の位置、形状、数等は、客の注目度が高まるように、任意に設定しうる。上述した関連情報の一部又は全部を光反射部で形成してもよい。
【００３９】
更に、拡販ツール１はスピーカ７を備えていている。スピーカ７からは、例えば関連情報や音楽が流れる。関連情報は、本２０の著作者の肉声によるものであってもよく、あるいは、本２０の推薦者の肉声によるものであってもよい。スピーカ７及びその制御部は基部２内に収納されている。スピーカ７の電源は、発光部６と共用しうる。スピーカ７の電源のオン／オフの切り替えは、直立部３の正面３ａに設けられた、客の存在を検知するセンサ（例えば赤外線センサ）８で行う。もちろん、センサ８を用いずに、上述した発光部６の電源のオン／オフの切り替えと同様に、拡販ツール１の開閉動作と連動させてもよく、あるいは、オン／オフを切り替えるためのスイッチで行ってもよい。
【００４０】
直立部３は、上面３ｃに開口を有する中空の収納部９を備える。収納部９には、カード１０が収納されている。カード１０の大きさは、任意であるが、例えばはがきサイズであってもよい。カード１０の材質は、任意であるが、紙が好ましい。客は、カード１０を自由に抜き出して持ち帰ることができる。カード１０の抜き出しを容易にするために、直立部３の正面３ａの上端に、切り欠き９ａが形成されている。
【００４１】
カード１０の構成は任意である。例えば、カード１０には、風景、動物、人物などの写真やイラストなどが印刷されていてもよい。これらは本２０に関連していても、関連していなくてもよい。また、カード１０には、本２０の表紙２０ａと同じ図柄や本２０の関連情報が印刷されていてもよい。このようなカード１０は、しおりとして、または本２０の宣伝媒体として機能しうる。
【００４２】
更に、カード１０が、郵便はがきとして使用できるように、宛先、差出人、及びメッセージを記入するための空欄と、切手を貼付するためのスペースを有していてもよい。この場合、客が本２０を知人に紹介するためにカード１０を利用することができる。あるいは、本２０を購入した客が本２０の感想や読者登録のための情報を出版社や著作者に知らせるためにカード１０を利用することができる。
【００４３】
従来より、読者情報の収集等の目的で、本にはがきを挟むことは、一般に行われている。この場合、はがきは、本を購入した客のみが入手可能である。これに対して、本考案では、拡販ツール１に収納されたカード１０は、本２０の購入とは無関係に、客が自由に持ち帰ることが可能である。このため、カード１０を、本２０の販売促進や認知度の向上等の様々な目的のために利用することができる。カード１０は、本２０の著作者又は出版社が作成することができる。本考案においては、カード１０及びこれを収納する収納部９を省略することができる。
【００４４】
本考案の拡販ツール１は、本２０の著作者又は出版社が作成し、著作者又は出版社が各書店に提供することが好ましい。書店は、拡販ツール１を、平積みされた本２０の上に載せる（図３Ｂ参照）。
【００４５】
拡販ツール１は、ＰＯＰ広告と同様に、本２０の関連情報を表示する。書店がＰＯＰ広告を作成する場合と異なり、著作者又は出版社が拡販ツール１を作成すれば、拡販ツール１が表示する関連情報の内容や構成を、本２０の著作者や出版社の意図に沿ったものにすることができる。また、多数の書店で同じ拡販ツール１を展示することにより、異なる書店において客に本２０に対して同じ印象を持たせることが可能になる。これらは、一般に書店ごとに作成されるＰＯＰ広告では、ほとんど不可能なことである。
【００４６】
拡販ツール１は、従来のＰＯＰ広告とは全く異なる形状を有することに加えて、発光部６及び／又は光反射部を備えている。このため、拡販ツール１の外観は非常に斬新で、書店内において非常に目立つ。特に、通常のＰＯＰ広告には自ら発光する発光部６が設けられることはないことから、拡販ツール１が発光部６を備えることは、客の注目度を格段に高めるのに役立つ。
【００４７】
従って、本考案の拡販ツール１は、書店において非常に目立ち、客の注目を集め、本２０に対する販売促進効果は絶大である。また、上述した特許文献１に記載された販促方法とは異なり、商品である本２０自身に変更を強いるものではない。
【００４８】
更に、スピーカ７を用いて関連情報や音楽を流すことにより、客の注目度や本２０の宣伝効果を更に向上させることができる。なお、本考案では、スピーカ７は必須ではなく、スピーカ７、その制御部、及びその電源のオン／オフを切り替えるためのセンサ８を省略してもよい。
【００４９】
上記の拡販ツール１は、基部２及び直立部３を備え開閉可能であったが、本考案の拡販ツールは、図４に示す拡販ツール１１のように、開閉構造を有していなくてもよい。この拡販ツール１１も、拡販ツール１と同様に、平積みされた本の上に載置して使用される。拡販ツール１１の平面視したときの縦寸法Ｄ及び横寸法Ｗは、本２０の平面視したときの縦寸法及び横寸法と同じかこれより小さく設定されている。本２０の上に載置したときに上方を向く上面１１ａには、本２０のタイトル５ａ、著作者名５ｂ、本の概要５ｄなどの関連情報が表示されている。上面１１ａが本２０の表紙２０ａと同じ外観を呈するように構成されていてもよい。上面１１ａ、上面１１ａの長辺に沿った２つの側面１１ｂ、及び、上面１１ａの一方の短辺に沿った前面１１ｃには、それぞれ複数の発光部６が設けられている。発光部６の制御部及び電源は、拡販ツール１１内に収納されている。発光部６の電源のオン／オフの切り替えは、拡販ツール１１の底面（上面１１ａとは反対側の面）に設けられたスイッチ（図示せず）により行う。前面１１ｃに、中空の収納部９が開口している。収納部９にカード１０が収納されている。このような拡販ツール１１も、書店において非常に目立ち、客の注目を集め、本２０に対する優れた販売促進効果を発揮することができる。拡販ツール１１に、拡販ツール１に関する上記の説明（開閉構造に関連する説明を除く）を適宜適用することができる。
【産業上の利用可能性】
【００５０】
本考案の拡販ツールは、本の販売促進を目的として書店において好ましく利用することができる。
【符号の説明】
【００５１】
１，１１  本の拡販ツール
２  基部
３  直立部
４  ヒンジ部
５ａ  本のタイトル（本に関する情報）
５ｂ  本の著作者名（本に関する情報）
５ｃ  著作者の顔写真（本に関する情報）
５ｄ  本の概要（本に関する情報）
６  発光部
７  スピーカ
８  センサ
９  収納部
１０  カード
２０  本
２０ａ  本の表紙
Ｄ  拡販ツールの縦寸法
Ｗ  拡販ツールの横寸法
【図１】
0003194325.tif 000003
【図２】
0003194325.tif 000004
【図３】
0003194325.tif 000005
【図４】
0003194325.tif 000006